(57)【特許請求の範囲】
【請求項１】
表示部と、
操作部と、
原稿のサイズが検知可能な第一原稿読取部と、
原稿のサイズを検知できない第二原稿読取部と、
原稿の読み取りサイズの初期値である初期サイズを予め記憶する記憶部と、
前記第一原稿読取部が検知した原稿のサイズを、前記第一原稿読取部に原稿を読み取らせる場合の原稿の読み取りサイズである第一読取サイズとして確定し、前記操作部を用いて読み取りジョブの開始指示が入力される事前に前記操作部を用いて原稿の読み取りサイズの設定画面の表示指示が入力された場合は、前記設定画面を前記表示部に表示し、当該設定画面で設定された原稿の読み取りサイズを、前記第二原稿読取部に原稿を読み取らせる場合の原稿の読み取りサイズである第二読取サイズとして確定し、前記設定画面の表示指示が入力されずに前記読み取りジョブの開始指示が入力された場合は、前記初期サイズを前記第二読取サイズとして確定する第一モード、及び、
前記第一原稿読取部が検知した原稿のサイズを前記第一読取サイズとして確定し、前記第二原稿読取部に原稿を読み取らせる場合、前記操作部を用いて読み取りジョブの開始指示が入力されたときに、原稿の読み取りサイズの設定画面を前記表示部に表示し、当該設定画面で設定された原稿の読み取りサイズを前記第二読取サイズとして確定する第二モード、の何れかを設定する読取サイズ確定部と、
を備える画像読取装置。
【請求項２】
表示部と、
操作部と、
原稿のサイズが検知可能な第一原稿読取部と、
原稿のサイズを検知できない第二原稿読取部と、
前記第一原稿読取部が検知した原稿のサイズを、前記第一原稿読取部に原稿を読み取らせる場合の原稿の読み取りサイズである第一読取サイズとして確定し、事前に設定された原稿の読み取りサイズを、前記第二原稿読取部に原稿を読み取らせる場合の原稿の読み取りサイズである第二読取サイズとして確定する第一モード、及び、
前記第一原稿読取部が検知した原稿のサイズを前記第一読取サイズとして確定し、前記第二原稿読取部に原稿を読み取らせる場合、前記操作部を用いて読み取りジョブの開始指示が入力されたときに、原稿の読み取りサイズの設定画面を前記表示部に表示し、当該設定画面で設定された原稿の読み取りサイズを前記第二読取サイズとして確定する第二モード、の何れかを設定する読取サイズ確定部と、
を備え、
前記第一モード及び前記第二モードは、前記操作部を用いて前記設定画面の表示指示が入力されたときは、前記設定画面を前記表示部に表示し、当該設定画面で設定された原稿の読み取りサイズを前記第一読取サイズ及び前記第二読取サイズとして確定する画像読取装置。
【請求項３】
前記第一モードは、前記第一原稿読取部により原稿のサイズが検知される前は、前記事前に設定された原稿の読み取りサイズを前記表示部に表示する請求項１又は２に記載の画像読取装置。
【請求項４】
前記第一モード及び前記第二モードは、前記設定画面で設定された原稿の読み取りサイズを前記第一読取サイズとして確定した後は、前記第一原稿読取部が検知した原稿のサイズを前記第一読取サイズとして確定しない請求項１から３の何れか一項に記載の画像読取装置。
【請求項５】
前記第二モードは、前記第一読取サイズ及び前記第二読取サイズが確定されていない場合、原稿の読み取りサイズが不明であることを示す情報を前記表示部に表示する請求項１から４の何れか一項に記載の画像読取装置。
【請求項６】
前記第二モードは、前記読み取りジョブの開始指示が入力されたときに、前記第二読取サイズが既に確定されていた場合は、前記設定画面を前記表示部に表示しない請求項１から５の何れか一項に記載の画像読取装置。
【請求項７】
請求項１から６の何れか一項に記載の画像読取装置と、
前記第一原稿読取部及び前記第二原稿読取部の何れかによって読み取られた画像を出力する画像出力部と、
を備える画像処理装置。
【発明の詳細な説明】
【技術分野】
【０００１】
本発明は、画像読取装置及び画像処理装置に関し、特に、原稿の読み取りサイズを確定する技術に関する。
【背景技術】
【０００２】
従来から、ガラス等の透明部材で構成された原稿台に載置した原稿を読み取る方法及び原稿載置台に載置した原稿を上記原稿台上へ搬送して読み取る方法の二種類の方法で原稿を読み取り可能な画像読取装置が知られている。また、例えば下記特許文献１に記載のように、原稿台及び原稿載置台に載置された原稿のサイズを検知するセンサーを設け、ユーザーによって原稿の読み取りサイズ（読み取り対象の原稿のサイズ）を確定する操作が行われなかった場合に、上記センサーによって検知された原稿のサイズを原稿の読み取りサイズとして確定する技術が知られている。
【先行技術文献】
【特許文献】
【０００３】
【特許文献１】特開２００６−２０８９６９号公報
【発明の概要】
【発明が解決しようとする課題】
【０００４】
しかし、近年では、コスト削減等のため、原稿載置台に載置されている原稿のサイズを検知するセンサーだけを備え、原稿台に載置されている原稿のサイズを検知するセンサーを備えていない安価な画像読取装置のニーズも高まってきている。
【０００５】
このような画像読取装置では、原稿台に載置した原稿を読み取る場合、原稿のサイズを検知できないため、上記特許文献１に記載の技術のように、原稿の読み取りサイズを自動的に確定することができない。このため、ユーザーは、原稿台に載置した原稿を意図した原稿の読み取りサイズで読み取らせるためには、原稿を読み取らせる事前に原稿の読み取りサイズを意図したサイズに確定する操作を行う必要がある。しかし、当該画像読取装置の操作に慣れていないユーザーは、原稿の読み取りサイズを確定する操作を行わない虞がある。
【０００６】
一方、画像読取装置の管理者は、ユーザーが不用意に多様なサイズの原稿を読み取らないよう、原稿の読み取りサイズを制限したいという意図がある。その一方で、画像読取装置の管理者は、意図した原稿の読み取りサイズで原稿を読み取れないためにユーザーが不便さを感じることを避けたいという意図もある。
【０００７】
本発明は、上記の問題を解決するためになされたものであり、原稿のサイズを検知可能な原稿読取部と原稿のサイズを検知できない原稿読取部とを備え、ユーザー及び管理者がそれぞれ意図した原稿の読み取りサイズで原稿を読み取らせることができる画像読取装置及び画像処理装置を提供することを目的とする。
【課題を解決するための手段】
【０００８】
本発明による画像読取装置は、表示部と、操作部と、原稿のサイズが検知可能な第一原稿読取部と、原稿のサイズを検知できない第二原稿読取部と、原稿の読み取りサイズの初期値である初期サイズを予め記憶する記憶部と、前記第一原稿読取部が検知した原稿のサイズを、前記第一原稿読取部に原稿を読み取らせる場合の原稿の読み取りサイズである第一読取サイズとして確定し、前記操作部を用いて読み取りジョブの開始指示が入力される事前に前記操作部を用いて原稿の読み取りサイズの設定画面の表示指示が入力された場合は、前記設定画面を前記表示部に表示し、当該設定画面で設定された原稿の読み取りサイズを、前記第二原稿読取部に原稿を読み取らせる場合の原稿の読み取りサイズである第二読取サイズとして確定し、前記設定画面の表示指示が入力されずに前記読み取りジョブの開始指示が入力された場合は、前記初期サイズを前記第二読取サイズとして確定する第一モード、及び、前記第一原稿読取部が検知した原稿のサイズを前記第一読取サイズとして確定し、前記第二原稿読取部に原稿を読み取らせる場合、前記操作部を用いて読み取りジョブの開始指示が入力されたときに、原稿の読み取りサイズの設定画面を前記表示部に表示し、当該設定画面で設定された原稿の読み取りサイズを前記第二読取サイズとして確定する第二モード、の何れかを設定する読取サイズ確定部と、を備える。
【０００９】
本構成によれば、第一モード及び第二モードのうちの何れが設定されている場合でも、第一原稿読取部が検知した原稿のサイズと同じサイズで適切に第一原稿読取部に原稿を読み取らせることができる。
【００１０】
また、第一モードが設定されている場合、画像読取装置の管理者は、意図した原稿の読み取りサイズを事前に設定することで、当該意図した読み取りサイズで第二原稿読取部に原稿を読み取らせることができる。第二モードが設定されている場合、ユーザーは、読み取りジョブの開始指示を入力したときに表示された設定画面で意図した読み取りサイズを設定し、当該意図した読み取りサイズで第二原稿読取部に原稿を読み取らせることができる。
または、本発明による画像読取装置は、表示部と、操作部と、原稿のサイズが検知可能な第一原稿読取部と、原稿のサイズを検知できない第二原稿読取部と、前記第一原稿読取部が検知した原稿のサイズを、前記第一原稿読取部に原稿を読み取らせる場合の原稿の読み取りサイズである第一読取サイズとして確定し、事前に設定された原稿の読み取りサイズを、前記第二原稿読取部に原稿を読み取らせる場合の原稿の読み取りサイズである第二読取サイズとして確定する第一モード、及び、前記第一原稿読取部が検知した原稿のサイズを前記第一読取サイズとして確定し、前記第二原稿読取部に原稿を読み取らせる場合、前記操作部を用いて読み取りジョブの開始指示が入力されたときに、原稿の読み取りサイズの設定画面を前記表示部に表示し、当該設定画面で設定された原稿の読み取りサイズを前記第二読取サイズとして確定する第二モード、の何れかを設定する読取サイズ確定部と、を備え、前記第一モード及び前記第二モードは、前記操作部を用いて前記設定画面の表示指示が入力されたときは、前記設定画面を前記表示部に表示し、当該設定画面で設定された原稿の読み取りサイズを前記第一読取サイズ及び前記第二読取サイズとして確定する。
本構成によれば、更に、ユーザー及び管理者は、第一モード及び第二モードの何れが設定されている場合でも、設定画面の表示指示を入力して設定画面を表示させ、意図した原稿の読み取りサイズを当該設定画面で設定することができる。これにより、ユーザー及び管理者は、第一読取サイズ及び第二読取サイズを当該意図した読み取りサイズに確定することができる。
【００１１】
また、前記第一モードは、前記第一原稿読取部により原稿のサイズが検知される前は、前記事前に設定された原稿の読み取りサイズを前記表示部に表示してもよい。
【００１２】
本構成によれば、ユーザーは、第一原稿読取部に原稿を読み取らせる前に、事前に設定された原稿の読み取りサイズを把握することができる。
【００１５】
また、前記第一モード及び前記第二モードは、前記設定画面で設定された原稿の読み取りサイズを前記第一読取サイズとして確定した後は、前記第一原稿読取部が検知した原稿のサイズを前記第一読取サイズとして確定しないようにしてもよい。
【００１６】
本構成によれば、ユーザー及び管理者が設定画面で設定した意図した原稿の読み取りサイズを、第一原稿読取部で検知された原稿のサイズよりも優先して第一読取サイズとして確定できる。これにより、ユーザー及び管理者は、意図した読み取りサイズで第一原稿読取部に原稿を読み取らせることができる。
【００１７】
また、前記第二モードは、前記第一読取サイズ及び前記第二読取サイズが確定されていない場合、原稿の読み取りサイズが不明であることを示す情報を前記表示部に表示してもよい。
【００１８】
本構成によれば、第二モードが設定されている場合、ユーザーは、原稿の読み取りサイズが不明であることに気付き易くなる。これにより、当該ユーザーは、第一原稿読取部に原稿のサイズを検知させる、或いは、読み取りジョブの開始指示を入力して設定画面を表示させた後、原稿の読み取りサイズを設定する等、第一読取サイズ及び第二読取サイズを確定するための操作を迅速に行えるようになる。
【００１９】
また、前記第二モードは、前記読み取りジョブの開始指示が入力されたときに、前記第二読取サイズが既に確定されていた場合は、前記設定画面を前記表示部に表示しないようにしてもよい。
【００２０】
本構成によれば、第二読取サイズが既に確定されているときは、設定画面の表示を省略し、既に確定された第二読取サイズで迅速に第二原稿読取部による原稿の読み取りジョブを開始することができる。
【００２１】
本発明による画像処理装置は、前記画像読取装置と、前記第一原稿読取部及び前記第二原稿読取部の何れかによって読み取られた画像を出力する画像出力部と、を備える。
【００２２】
本構成によれば、ユーザー及び管理者がそれぞれ意図した原稿の読み取りサイズで読み取らせた原稿の画像を出力することができる。
【発明の効果】
【００２３】
この発明によれば、ユーザー及び管理者は、それぞれ意図した原稿の読み取りサイズで原稿を読み取らせることができる。
【図面の簡単な説明】
【００２４】
【図１】複合機の電気的構成を示すブロック図である。
【図２】第一原稿読取部及び第二原稿読取部の概略構成図である。
【図３】コピージョブ設定画面の一例を示す図である。
【図４】読取サイズ設定画面の一例を示す図である。
【図５】任意設定モードが設定されている場合にコピージョブを実行するときの動作を示すフローチャートである。
【図６】任意設定モードが設定されている場合におけるコピージョブ設定画面に設けられた表示領域の表示態様の一例を示す図である。
【図７】毎回設定モードが設定されている場合にコピージョブを実行するときの動作を示すフローチャートである。
【図８】毎回設定モードが設定されている場合におけるコピージョブ設定画面に設けられた表示領域の表示態様の一例を示す図である。
【発明を実施するための形態】
【００２５】
以下、本発明に係る画像読取装置及びこれを備えた画像処理装置の一実施形態を図面に基づいて説明する。尚、本実施形態では、画像処理装置として複合機を例に説明するが、本発明に係る画像処理装置をこれに限定する趣旨ではない。本発明に係る画像処理装置は、例えば、ファクシミリ装置、コピー機、又はプリンター等であってもよい。
【００２６】
図１は、複合機１の電気的構成を示すブロック図である。図１に示すように、複合機１は、第一原稿読取部２１、第二原稿読取部２２、画像形成部３０（画像出力部）、操作表示部４０、通信部５０、記憶部６０及び制御部１０を備えている。尚、第一原稿読取部２１、第二原稿読取部２２、操作表示部４０、及び制御部１０は、本発明に係る画像読取装置の一例を構成する。
【００２７】
第一原稿読取部２１は、原稿載置台に載置された原稿を搬送しながら、その搬送途中で原稿を読み取り、当該原稿の画像を示す画像データを生成する。また、第一原稿読取部２１は、原稿載置台に載置された原稿のサイズを検知可能に構成されている。
【００２８】
第二原稿読取部２２は、ガラス等の透明部材により構成された原稿台に載置された原稿を読み取り、当該原稿の画像を示す画像データを生成する。尚、第二原稿読取部２２は、原稿台に載置された原稿のサイズを検知できないように構成されている。
【００２９】
図２は、第一原稿読取部２１及び第二原稿読取部２２の概略構成図である。具体的には、図２に示すように、第一原稿読取部２１は、複合機１の本体上部に設けられた原稿給送装置８０及び原稿読取装置９０により構成されている。第二原稿読取部２２は、原稿読取装置９０により構成されている。
【００３０】
原稿給送装置８０は、原稿を載置するための原稿載置台８１と、原稿搬送部８２と、原稿を排出するための原稿排出部８３と、サイズ検知センサー８４と、を備えている。原稿搬送部８２は、原稿載置台８１に載置された原稿を、読取スリット９３を介して、原稿排出部８３まで搬送する。
【００３１】
サイズ検知センサー８４は、原稿載置台８１に載置されている原稿のサイズを検知する。例えば、サイズ検知センサー８４は、原稿載置台８１の底面の所定位置に配置された複数の載置センサーを備えて構成されている。各載置センサーは、自身の上に原稿が載置されているか否かを検知する。サイズ検知センサー８４は、原稿が載置されていると検知した載置センサーによって囲まれる領域のサイズに基づいて原稿のサイズを検知する。尚、サイズ検知センサー８４が、原稿のサイズを検知する方法をこれに限定する趣旨ではない。
【００３２】
また、原稿給送装置８０は、図２の紙面裏側の一辺を軸にして回動自在に構成されており、原稿給送装置８０を回動させることにより、原稿台９２の上面に原稿を載置可能となっている。
【００３３】
原稿読取装置９０は、スキャナー部９１と、ガラス等の透明部材により構成された原稿台９２及び読取スリット９３と、を備えている。スキャナー部９１は、露光ランプやＣＣＤ等を備えた周知の構成を有し、不図示の駆動部によって移動可能に構成されている。スキャナー部９１は、原稿台９２に載置された原稿及び読取スリット９３上を通過する原稿を読み取り、当該原稿の画像を示す画像データを生成する。尚、原稿読取装置９０には、原稿台９２に載置された原稿のサイズを検知するセンサーが備えられていない。
【００３４】
つまり、第一原稿読取部２１は、スキャナー部９１を読取スリット９３まで移動させた後、原稿載置台８１に載置された原稿を原稿搬送部８２に搬送させ、読取スリット９３上を通過する原稿をスキャナー部９１に読み取らせる。また、第一原稿読取部２１は、サイズ検知センサー８４に原稿のサイズを検知させる。
【００３５】
尚、第一原稿読取部２１は、読取スリット９３上に原稿の先端が到達した時点から、当該原稿の先端が後述する読取サイズ確定部１２により確定された原稿の読み取りサイズに対応する長さ分搬送されるまでの間、スキャナー部９１に原稿を読み取らせる。これにより、第一原稿読取部２１は、当該確定された原稿の読み取りサイズで原稿を読み取り、当該読み取りサイズと同じサイズの画像を示す画像データを生成する。
【００３６】
一方、第二原稿読取部２２は、原稿台９２に載置された原稿に沿ってスキャナー部９１を移動させながら当該原稿を読み取らせる。また、原稿台９２に載置された原稿のサイズを検知するセンサーが備えられていないので、第二原稿読取部２２は、原稿台９２に載置された原稿のサイズを検知できないように構成されている。
【００３７】
尚、第二原稿読取部２２は、原稿台９２に載置された原稿の先端から、後述する読取サイズ確定部１２により確定された原稿の読み取りサイズに対応する長さ分離間した位置まで、スキャナー部９１を移動させながら原稿を読み取らせる。これにより、第二原稿読取部２２は、当該確定された原稿の読み取りサイズで原稿を読み取り、当該読み取りサイズと同じサイズの画像を示す画像データを生成する。
【００３８】
画像形成部３０は、感光体ドラム、帯電部、露光部、現像部、転写部、定着部、排出部等を備えた周知の構成を有する。画像形成部３０は、第一原稿読取部２１及び第二原稿読取部２２が生成した画像データや通信部５０が受信した画像データが表す画像を用紙に形成する印刷処理を実行する。
【００３９】
操作表示部４０は、液晶ディスプレイ等の表示部４１と、操作部４２と、を備えている。操作部４２は、数値の入力操作を行うためのテンキーや、各種ジョブの開始指示の入力操作を行うためのスタートキー等の各種操作キーを備えている。また、操作部４２は、表示部４１に表示されたソフトキーのタッチ操作を行うためのタッチパネル装置を備えている。
【００４０】
通信部５０は、ＬＡＮやインターネット等のネットワークを介して外部装置との間で通信を行うときに用いられる通信インターフェイス回路である。記憶部６０は、ＨＤＤやＳＳＤ等の記憶装置である。記憶部６０には、複合機１の動作に必要な各種データが予め記憶されている。
【００４１】
制御部１０は、所定の演算処理を実行する不図示のＣＰＵと、所定の制御プログラムが記憶されたＥＥＰＲＯＭ等の不図示の不揮発性メモリーと、データを一時的に記憶するための不図示のＲＡＭと、これらの周辺回路等を備えている。制御部１０は、上記不揮発性メモリーに記憶された制御プログラムをＣＰＵによって実行することによって、複合機１内の各部の動作を制御する。
【００４２】
例えば、制御部１０は、第一原稿読取部２１及び第二原稿読取部２２に原稿を読み取らせる動作に関連して、ジョブ実行部１１（画像出力部）、読取サイズ確定部１２、及び初期サイズ設定部１３として機能する。
【００４３】
ジョブ実行部１１は、操作部４２の操作によって指示された各種ジョブを実行する。ジョブには、スキャンジョブやコピージョブ等が含まれる。スキャンジョブは、原稿の読み取りジョブの実行により生成された画像データを電子ファイル化して出力するジョブである。原稿の読み取りジョブとは、第一原稿読取部２１又は第二原稿読取部２２に原稿を読み取らせて、原稿の画像を示す画像データを生成させるジョブである。コピージョブは、読み取りジョブの実行により生成された画像データが示す画像を用紙に形成する印刷処理を画像形成部３０に実行させ、当該画像が形成された用紙を出力するジョブである。
【００４４】
図３は、コピージョブ設定画面Ｗ１の一例を示す図である。例えば、操作部４２に設けられた不図示のコピージョブキーが押下されると、ジョブ実行部１１は、図３に示すコピージョブ設定画面Ｗ１を表示部４１に表示する。
【００４５】
図３に示すように、コピージョブ設定画面Ｗ１には、コピージョブの六個の実行条件（「用紙選択」、「縮小／拡大」等）を設定するためのソフトキーＳＫ１１〜ＳＫ１６が設けられている。各ソフトキーＳＫ１１〜ＳＫ１６の上部には、各ソフトキーＳＫ１１〜ＳＫ１６のタッチ操作により設定された設定値が表示される。また、コピージョブ設定画面Ｗ１には、各実行条件の設定画面の表示指示を入力するためのタブキーＴＫ１〜ＴＫ６が設けられている。図３は、タブキーＴＫ１が押下されたことにより、上記六個の実行条件の設定画面であるコピージョブ設定画面Ｗ１が表示された例を示している。
【００４６】
図４は、読取サイズ設定画面Ｗ２（設定画面）の一例を示す図である。例えば、タブキーＴＫ２は、図４に示す読取サイズ設定画面Ｗ２の表示指示を入力するために設けられている。読取サイズ設定画面Ｗ２は、コピージョブに含まれる原稿の読み取りジョブの実行条件である、第一原稿読取部２１及び第二原稿読取部２２に原稿を読み取らせるときの原稿の読み取りサイズ（第一読取サイズ、第二読取サイズ）の設定画面である。
【００４７】
図４に示すように、読取サイズ設定画面Ｗ２には、原稿の読み取りサイズとして設定可能な設定値をそれぞれ示す複数のソフトキーＳＫ２が設けられている。複数のソフトキーＳＫ２のうちの何れかのソフトキーがユーザーによりタッチ操作されると、当該タッチ操作されたソフトキーが示す設定値が、原稿の読み取りサイズとして設定される。
【００４８】
また、読取サイズ設定画面Ｗ２には表示領域ＲＡ２が設けられている。表示領域ＲＡ２には、複数のソフトキーＳＫ２のうちの何れかのタッチ操作により設定された原稿の読み取りサイズを表示するための表示欄ＲＳ２や、当該設定された原稿の読み取りサイズを表す画像を表示するための表示欄ＲＤ２等が設けられている。図４は、「Ａ４」を示すソフトキーがタッチ操作されたことにより、原稿の読み取りサイズが「Ａ４」に設定された例を示している。
【００４９】
図３に参照を戻す。コピージョブ設定画面Ｗ１には、更に、表示領域ＲＡ１が設けられている。表示領域ＲＡ１には、後述の読取サイズ確定部１２により確定された原稿の読み取りサイズを表示するための表示欄ＲＳ１や、当該確定された原稿の読み取りサイズを表す画像を表示するための表示欄ＲＤ１等が設けられている。表示領域ＲＡ１の表示態様の詳細については後述する。
【００５０】
ジョブ実行部１１は、操作部４２に設けられた、ジョブの開始指示を入力するための不図示のスタートキーが押下されると、タブキーＴＫ１〜ＴＫ６に対応する各実行条件の設定画面で設定された実行条件でコピージョブを実行する。
【００５１】
読取サイズ確定部１２は、原稿の読み取りサイズの確定方法を定めた任意設定モード（第一モード）及び毎回設定モード（第二モード）の何れかを設定する。具体的には、読取サイズ確定部１２は、操作部４２に設けられた不図示のモード設定キーが押下されたときに、任意設定モード及び毎回設定モードを示す二個のソフトキーを含む不図示のモード設定画面を表示部４１に表示する。そして、当該二個のソフトキーの何れかがユーザーによりタッチ操作されると、読取サイズ確定部１２は、当該タッチ操作されたソフトキーが示すモードを設定する。
【００５２】
そして、読取サイズ確定部１２は、当該設定したモードにより定められた確定方法で、第一原稿読取部２１及び第二原稿読取部２２に原稿を読み取らせる場合の原稿の読み取りサイズを確定する。尚、読取サイズ確定部１２が各モードにより定められた確定方法で原稿の読み取りサイズを確定する動作については後述する。
【００５３】
初期サイズ設定部１３は、原稿の読み取りサイズの初期値である初期サイズを設定し、当該設定した初期サイズを記憶部６０に記憶する。具体的には、初期サイズ設定部１３は、複合機１が使用されていない任意の時期に（事前に）、操作部４２に設けられた不図示のシステムメニューキーが押下されたとき、不図示のシステム設定画面を表示部４１に表示する。そして、初期サイズ設定部１３は、システム設定画面内の不図示の初期サイズ設定キーがタッチ操作されると、図４に示す読取サイズ設定画面Ｗ２と同構成の初期サイズ設定画面を表示部４１に表示する。その後、初期サイズ設定画面に含まれる何れかのソフトキーがタッチ操作されると、初期サイズ設定部１３は、当該タッチ操作されたソフトキーが示す設定値を初期サイズとして設定し、当該設定した初期サイズを記憶部６０に記憶する。
【００５４】
以下では、先ず、任意設定モードが設定されている場合にコピージョブを実行するときの動作について説明する。当該説明の中で、読取サイズ確定部１２が任意設定モードにより定められた確定方法で原稿の読み取りサイズを確定する動作について説明する。図５は、任意設定モードが設定されている場合にコピージョブを実行するときの動作を示すフローチャートである。
【００５５】
読取サイズ確定部１２により任意設定モードが設定された後、操作部４２に設けられた不図示のコピージョブキーが押下されたとする。この場合、図５に示すように、ジョブ実行部は、コピージョブ設定画面Ｗ１（図３）を表示部４１に表示する（Ｓ１）。
【００５６】
ステップＳ１の後、読取サイズ確定部１２は、先ず、記憶部６０に予め記憶されている初期サイズを原稿の読み取りサイズとして確定する（Ｓ２）。尚、読取サイズ確定部１２は、ステップＳ２及び後述のステップにおいて原稿の読み取りサイズを確定した場合、当該確定した原稿の読み取りサイズを、コピージョブ設定画面Ｗ１の表示領域ＲＡ１内の表示欄ＲＳ１に表示する。また、読取サイズ確定部１２は、当該確定した原稿の読み取りサイズを表す画像を表示欄ＲＤ１に表示する。読取サイズ確定部１２が、各ステップで確定した原稿の読み取りサイズを表示領域ＲＡ１内の表示欄ＲＳ１、ＲＤ１に表示する態様については後述する。
【００５７】
ステップＳ２の後、タブキーＴＫ２が押下された場合（Ｓ３；ＹＥＳ）、読取サイズ確定部１２は、読取サイズ設定画面Ｗ２を表示部４１に表示する。そして、読取サイズ確定部１２は、当該読取サイズ設定画面Ｗ２で設定された原稿の読み取りサイズを原稿の読み取りサイズとして確定する（Ｓ４）。尚、タブキーＴＫ２が押下されなかった場合（Ｓ３；ＮＯ）、ステップＳ４は実行されない。
【００５８】
その後、原稿載置台８１に原稿が載置されたことにより、サイズ検知センサー８４が原稿のサイズを検知したとする（Ｓ５；ＹＥＳ）。この場合、読取サイズ確定部１２は、ステップＳ４を実行していず、読取サイズ設定画面Ｗ２で設定された原稿の読み取りサイズを、原稿の読み取りサイズとして確定していないときは（Ｓ６；ＮＯ）、ステップＳ５で検知された原稿のサイズを、原稿の読み取りサイズとして確定する（Ｓ７）。
【００５９】
一方、読取サイズ確定部１２は、原稿のサイズが検知されたとしても（Ｓ５；ＹＥＳ）、ステップＳ４を実行済みであって、読取サイズ設定画面Ｗ２で設定された原稿の読み取りサイズを原稿の読み取りサイズとして確定していたときは（Ｓ６；ＹＥＳ）、ステップＳ７を実行しない。
【００６０】
スタートキーが押下されるまでの間は（Ｓ８；ＮＯ）、ステップＳ３以降の処理が繰り返される。その後、スタートキーが押下されたとする（Ｓ８；ＹＥＳ）。この場合、ジョブ実行部１１は、サイズ検知センサー８４が原稿のサイズを検知しているときは（Ｓ９；ＹＥＳ）、コピージョブに含まれる原稿の読み取りジョブを、第一原稿読取部２１を用いて実行する。つまり、ジョブ実行部１１は、三個のステップＳ２、Ｓ４、Ｓ７のうちの何れかで確定された原稿の読み取りサイズ（第一読取サイズ）で、第一原稿読取部２１に原稿を読み取らせる（Ｓ１０）。
【００６１】
一方、スタートキーが押下された場合に（Ｓ８；ＹＥＳ）、サイズ検知センサー８４が原稿のサイズを検知していなかったとする（Ｓ９；ＮＯ）。この場合、原稿載置台８１ではなく原稿台９２に原稿が載置されていると考えられるので、ジョブ実行部１１は、コピージョブに含まれる原稿の読み取りジョブを第二原稿読取部２２を用いて実行する。つまり、原稿のサイズが検知されていず（Ｓ５；ＮＯ）、ステップＳ７が実行されていないので、ジョブ実行部１１は、二個のステップＳ２、Ｓ４のうちの何れかで確定された原稿の読み取りサイズ（第二読取サイズ）で、第二原稿読取部２２に原稿を読み取らせる（Ｓ１１）。
【００６２】
そして、ジョブ実行部１１は、ステップＳ１０又はステップＳ１１における原稿の読み取りジョブの実行によって画像データが生成されると、当該画像データが示す画像を用紙に形成する印刷処理を画像形成部３０に実行させる（Ｓ１２）。
【００６３】
次に、任意設定モードが設定されている場合におけるコピージョブ設定画面Ｗ１に設けられた表示領域ＲＡ１の表示態様（ａ１）〜（ｅ１）について説明する。図６は、任意設定モードが設定されている場合におけるコピージョブ設定画面Ｗ１に設けられた表示領域ＲＡ１の表示態様（ａ１）〜（ｅ１）の一例を示す図である。
【００６４】
（ａ１）：初期サイズ「Ａ３」が予め記憶部６０に記憶されているとする。この場合、読取サイズ確定部１２は、ステップＳ２において初期サイズ「Ａ３」を原稿の読み取りサイズとして確定する。そして、読取サイズ確定部１２は、図６の（ａ１）に示すように、当該確定した原稿の読み取りサイズ「Ａ３」を表示欄ＲＳ１に表示し、「Ａ３」を表す画像を表示欄ＲＤ１に表示する。
【００６５】
（ｂ１）：（ａ１）の後、タブキーＴＫ２が押下されずに（Ｓ３；ＮＯ）、原稿のサイズ「Ａ４」が検知されたとする（Ｓ５；ＹＥＳ）。この場合、ステップＳ７において、読取サイズ確定部１２は、ステップＳ５で検知された原稿のサイズ「Ａ４」を原稿の読み取りサイズとして確定する。そして、読取サイズ確定部１２は、図６の（ｂ１）に示すように、確定した原稿の読み取りサイズ「Ａ４」を表示欄ＲＳ１に表示し、「Ａ４」を表す画像を表示欄ＲＤ１に表示する。
【００６６】
（ｃ１）：（ａ１）の後、タブキーＴＫ２が押下されずに（Ｓ３；ＮＯ）、原稿台９２にサイズ「Ａ４」の原稿が載置されたとする。この場合、原稿のサイズ「Ａ４」が検知されないので（Ｓ５；ＮＯ）、読取サイズ確定部１２はステップＳ７を実行しない。その結果、図６の（ｃ１）に示すように、表示領域ＲＡ１の表示態様は、図６の（ａ１）に示す表示態様のまま何ら変更されない。
【００６７】
（ｄ１）：（ａ１）の後、タブキーＴＫ２が押下され（Ｓ３；ＹＥＳ）、読取サイズ設定画面Ｗ２で原稿の読み取りサイズ「Ａ４」が設定されたとする。この場合、ステップＳ４において、読取サイズ確定部１２は、読取サイズ設定画面Ｗ２で設定された原稿の読み取りサイズ「Ａ４」を原稿の読み取りサイズとして確定する。そして、読取サイズ確定部１２は、図６の（ｄ１）に示すように、当該確定した原稿の読み取りサイズ「Ａ４」を表示欄ＲＳ１に表示し、「Ａ４」を表す画像を表示欄ＲＤ１に表示する。
【００６８】
（ｅ１）：（ｄ１）の後、スタートキーが押下されるまでの間に（Ｓ８；ＮＯ）、原稿のサイズ「Ａ３」が検知されたとする（Ｓ５；ＹＥＳ）。この場合、ステップＳ４が既に実行されているので、読取サイズ確定部１２は、ステップＳ７を実行せず、ステップＳ４で確定された原稿の読み取りサイズを、当該ステップＳ５で検知された原稿のサイズ「Ａ３」に変更しない。その結果、図６の（ｅ１）に示すように、表示領域ＲＡ１の表示態様は、図６の（ｄ１）に示す表示態様のまま何ら変更されない。
【００６９】
次に、毎回設定モードが設定されている場合にコピージョブを実行するときの動作について説明する。当該説明の中で、読取サイズ確定部１２が毎回設定モードにより定められた確定方法で原稿の読み取りサイズを確定する動作について説明する。図７は、毎回設定モードが設定されている場合にコピージョブを実行するときの動作を示すフローチャートである。尚、図７において、任意設定モードが設定されている場合と同じ処理内容のステップについては、図５で用いた符号と同じ符号を付し、当該ステップの説明を省略する。
【００７０】
図７に示すように、毎回設定モードが設定されている場合、ステップＳ１の後は、原稿の読み取りサイズが何ら確定されていないので、読取サイズ確定部１２は、コピージョブ設定画面Ｗ１（図３）の表示領域ＲＡ１内の表示欄ＲＳ１、ＲＤ１に、原稿の読み取りサイズが不明であることを示す情報を表示する（Ｓ２１）。毎回設定モードが設定されている場合の表示領域ＲＡ１の表示態様については、後述する。
【００７１】
ステップＳ２１の後は、図５に示した動作と同様、スタートキーが押下されるまでの間（Ｓ８；ＮＯ）、ステップＳ３以降の処理が繰り返される。その後、スタートキーが押下されたとする（Ｓ８；ＹＥＳ）。この場合、サイズ検知センサー８４が原稿のサイズを検知していたときは（Ｓ９；ＹＥＳ）、図５に示した動作と同様、ステップＳ１０以降の処理が実行される。
【００７２】
一方、スタートキーが押下された場合に（Ｓ８；ＹＥＳ）、サイズ検知センサー８４が原稿のサイズを検知していなかったとする（Ｓ９；ＮＯ）。この場合、読取サイズ確定部１２は、原稿の読み取りサイズが確定されているか否かを判定する（Ｓ２２）。
【００７３】
尚、ステップＳ２２が行われる場合、原稿のサイズは検知されていず（Ｓ５；ＮＯ）、ステップＳ７が実行されていない。このため、ステップＳ２２において、読取サイズ確定部１２は、既にステップＳ４を実行したか否かを判定することによって、原稿の読み取りサイズが確定されているか否かを判定する。
【００７４】
読取サイズ確定部１２は、ステップＳ２２において、原稿の読み取りサイズが確定されていないと判定した場合（Ｓ２２；ＮＯ）、読取サイズ設定画面Ｗ２を表示部４１に表示し、当該読取サイズ設定画面Ｗ２で設定された原稿の読み取りサイズを原稿の読み取りサイズとして確定する（Ｓ２４）。一方、読取サイズ確定部１２は、ステップＳ２２において、原稿の読み取りサイズが確定されていると判定した場合（Ｓ２２；ＹＥＳ）、ステップＳ２３、Ｓ２４を実行しない。
【００７５】
その後、ジョブ実行部１１は、ステップＳ４、Ｓ２４の何れかで確定された原稿の読み取りサイズ（第二読取サイズ）で、第二原稿読取部２２に原稿を読み取らせた後（Ｓ２５）、ステップＳ１２を実行する。
【００７６】
次に、毎回設定モードが設定されている場合におけるコピージョブ設定画面Ｗ１に設けられた表示領域ＲＡ１の表示態様（ａ２）〜（ｅ２）について説明する。図８は、毎回設定モードが設定されている場合におけるコピージョブ設定画面Ｗ１に設けられた表示領域ＲＡ１の表示態様（ａ２）〜（ｅ２）の一例を示す図である。
【００７７】
（ａ２）：毎回設定モードが設定されている場合、読取サイズ確定部１２は、ステップＳ２１において、図８の（ａ２）に示すように、原稿の読み取りサイズが不明であることを示す情報として文字列「――」を表示欄ＲＳ１に表示する。また、読取サイズ確定部１２は、原稿の読み取りサイズが不明であることを示す画像として、文字列「原稿をセットしてください。」を表す画像を表示欄ＲＤ１に表示する。
【００７８】
（ｂ２）：（ａ２）の後、タブキーＴＫ２が押下されずに（Ｓ３；ＮＯ）、原稿のサイズ「Ａ３」が検知されたとする（Ｓ５；ＹＥＳ）。この場合、ステップＳ７において、読取サイズ確定部１２は、ステップＳ５で検知された原稿のサイズ「Ａ３」を原稿の読み取りサイズとして確定する。そして、読取サイズ確定部１２は、図８の（ｂ２）に示すように、確定した原稿の読み取りサイズ「Ａ３」を表示欄ＲＳ１に表示し、「Ａ３」を表す画像を表示欄ＲＤ１に表示する。
【００７９】
（ｃ２）：（ａ２）の後、タブキーＴＫ２が押下されずに（Ｓ３；ＮＯ）、原稿台９２にサイズ「Ａ４」の原稿が載置されたとする。この場合、原稿のサイズ「Ａ４」が検知されないので（Ｓ５；ＮＯ）、読取サイズ確定部１２は、ステップＳ７を実行しない。その結果、図８の（ｃ２）に示すように、表示領域ＲＡ１の表示態様は、図８の（ａ２）に示す表示態様のまま何ら変更されない。
【００８０】
（ｄ２）：（ａ２）の後、タブキーＴＫ２が押下され（Ｓ３；ＹＥＳ）、読取サイズ設定画面Ｗ２で原稿の読み取りサイズ「Ａ４」が設定されたとする。この場合、ステップＳ４において、読取サイズ確定部１２は、読取サイズ設定画面Ｗ２で設定された原稿の読み取りサイズ「Ａ４」を原稿の読み取りサイズとして確定する。そして、読取サイズ確定部１２は、図８の（ｄ２）に示すように、当該確定した原稿の読み取りサイズ「Ａ４」を表示欄ＲＳ１に表示し、「Ａ４」を表す画像を表示欄ＲＤ１に表示する。
【００８１】
（ｅ２）：（ｄ２）の後、スタートキーが押下されるまでの間に（Ｓ８；ＮＯ）、原稿のサイズ「Ａ３」が検知されたとする（Ｓ５；ＹＥＳ）。この場合、ステップＳ４が既に実行されているので、読取サイズ確定部１２は、ステップＳ７を実行せず、ステップＳ４で確定された原稿の読み取りサイズを、当該ステップＳ５で検知された原稿のサイズ「Ａ３」に変更しない。その結果、図８の（ｅ２）に示すように、表示領域ＲＡ１の表示態様は、図８の（ｄ２）に示す表示態様のまま何ら変更されない。
【００８２】
このように、上記実施形態の構成によれば、任意モードが設定されている場合、読取サイズ確定部１２は、第一原稿読取部２１により原稿のサイズが検知される前は、事前に設定された原稿の読み取りサイズである初期サイズを表示部４１に表示する（Ｓ２）。これにより、ユーザーは、第一原稿読取部２１に原稿を読み取らせる前に、事前に設定された原稿の読み取りサイズである初期サイズを把握することができる。
【００８３】
また、任意設定モード及び毎回設定モードの何れが設定されている場合でも、読取サイズ確定部１２は、タブキーＴＫ２が押下されたときは（Ｓ３；ＹＥＳ）、読取サイズ設定画面Ｗ２を表示部４１に表示する。そして、読取サイズ確定部１２は、当該設定画面で設定された原稿の読み取りサイズを、ステップＳ１０及びステップＳ１１において、第一原稿読取部２１及び第二原稿読取部２２で原稿を読み取らせるときの原稿の読み取りサイズとして確定する（Ｓ４）。
【００８４】
このため、ユーザー及び管理者は、任意設定モード及び毎回設定モードの何れが設定されている場合でも、タブキーＴＫ２を押下して読取サイズ設定画面Ｗ２を表示させ、意図した原稿の読み取りサイズを当該読取サイズ設定画面Ｗ２で設定することができる。これにより、ユーザー及び管理者は、ステップＳ１０及びステップＳ１１において、第一原稿読取部２１及び第二原稿読取部２２で原稿を読み取らせるときの原稿の読み取りサイズを、当該意図した読み取りサイズに確定することができる。
【００８５】
また、任意設定モード及び毎回設定モードの何れが設定されている場合でも、読取サイズ確定部１２は、ステップＳ４において、読取サイズ設定画面Ｗ２で設定された原稿の読み取りサイズを原稿の読み取りサイズとして確定した後は、ステップＳ５で検知された原稿のサイズを原稿の読み取りサイズとして確定しない（Ｓ５；ＹＥＳ、Ｓ６；ＮＯ）。
【００８６】
このため、ユーザー及び管理者が読取サイズ設定画面Ｗ２で設定した意図した原稿の読み取りサイズを、サイズ検知センサー８４で検知された原稿のサイズよりも優先して、第一原稿読取部２１に原稿を読み取らせるときの原稿の読み取りサイズとして確定できる。これにより、ユーザー及び管理者は、意図した読み取りサイズで第一原稿読取部２１に原稿を読み取らせることができる。
【００８７】
また、毎回設定モードが設定されている場合において、読取サイズ確定部１２は、原稿の読み取りサイズが確定されていないときは、原稿の読み取りサイズが不明であることを示す情報を表示部４１に表示する（Ｓ２１）。
【００８８】
このため、毎回設定モードが設定されている場合、ユーザーは、原稿の読み取りサイズが不明であることに気付き易くなる。これにより、当該ユーザーは、原稿載置台８１に原稿を載置してサイズ検知センサー８４に原稿のサイズを検知させる、或いは、スタートキーを押下して読取サイズ設定画面Ｗ２を表示させた後、原稿の読み取りサイズを設定する等、原稿の読み取りサイズを確定するための操作を迅速に行えるようになる。
【００８９】
また、毎回設定モードが設定されている場合、読取サイズ確定部１２は、スタートキーが入力されたときに、原稿の読み取りサイズが既に確定されていたときは、読取サイズ設定画面Ｗ２を表示部４１に表示しない（Ｓ８；ＹＥＳ、Ｓ２２；ＹＥＳ）。
【００９０】
このため、原稿の読み取りサイズが既に確定されているときは、読取サイズ設定画面Ｗ２の表示を省略し、既に確定された原稿の読み取りサイズで迅速に第二原稿読取部２２による原稿の読み取りジョブを開始することができる。
【００９１】
尚、上記実施形態は、本発明に係る実施形態の例示に過ぎず、本発明を上記実施形態に限定する趣旨ではない。例えば、以下に示す変形実施形態であってもよい。
【００９２】
（１）毎回設定モードが設定されている場合に、ステップＳ２２（図７）を省略し、原稿の読み取りサイズが確定されているか否かによらず、ステップＳ２３（図７）以降の処理を行うようにしてもよい。
【００９３】
（２）毎回設定モードが設定されている場合に、ステップＳ２１（図７）を省略し、これに合わせて、表示欄ＲＳ１、ＲＤ１に情報や画像を何ら表示しないようにしてもよい。
【００９４】
（３）任意設定モード及び毎回設定モードの何れが設定されている場合でも、ステップＳ６（図５、図７）の判定処理を省略し、ステップＳ４が実行されたか否かによらず、ステップＳ７（図５、図７）を行うようにしてもよい。
【００９５】
（４）任意設定モード及び毎回設定モードの何れが設定されている場合でも、ステップＳ３、Ｓ４（図５、図７）を省略してもよい。
【００９６】
（５）任意設定モードが設定されている場合に、ステップＳ２（図５）において、初期サイズを原稿の読み取りサイズとして確定したときに、表示領域ＲＡ１内の表示欄ＲＳ１、ＲＤ１に、情報や画像を何ら表示しないようにしてもよい。
【００９７】
上記何れの実施形態においても、任意設定モードが設定されているか、毎回設定モードが設定されているかによらず、サイズ検知センサー８４が検知した原稿のサイズを、ステップＳ１０において第一原稿読取部２１に原稿を読み取らせる場合の原稿の読み取りサイズとして確定することができる（Ｓ５；ＹＥＳ、Ｓ７）。
【００９８】
これにより、任意設定モード及び毎回設定モードのうちの何れが設定されている場合でも、サイズ検知センサー８４が検知した原稿のサイズと同じサイズで適切に第一原稿読取部２１に原稿を読み取らせることができる。
【００９９】
また、任意設定モードが設定されている場合、事前に設定された初期サイズを、第二原稿読取部２２に原稿を読み取らせる場合の原稿の読み取りサイズとして確定することができる（Ｓ２）。これにより、管理者は、意図した原稿の読み取りサイズを初期サイズとして事前に設定することで、当該意図した読み取りサイズで第二原稿読取部２２に原稿を読み取らせることができる。
【０１００】
一方、毎回設定モードが設定されている場合、第二原稿読取部２２に原稿を読み取らせるときは、スタートキーが押下されたときに、読取サイズ設定画面Ｗ２を表示部４１に表示し、当該読取サイズ設定画面Ｗ２で設定された原稿の読み取りサイズを原稿の読み取りサイズとして確定することができる（Ｓ２３、Ｓ２４）。これにより、ユーザーは、スタートキーを押下したときに表示された読取サイズ設定画面Ｗ２で意図した読み取りサイズを設定し、当該意図した読み取りサイズで第二原稿読取部２２に原稿を読み取らせることができる。
【０１０１】
（６）原稿給送装置８０にサイズ検知センサー８４を設けずに、原稿台９２に載置された原稿のサイズを検知するサイズ検知センサー８４と同様のセンサーを原稿読取装置９０に設けてもよい。これに合わせて、本発明に係る第一原稿読取部を当該原稿読取装置９０により構成し、本発明に係る第二原稿読取部を当該原稿給送装置８０と当該原稿読取装置９０とにより構成してもよい。
【０１０２】
（７）ステップＳ５、Ｓ９（図５、図７）において、サイズ検知センサー８４が原稿のサイズを検知しているか否かを判断しているが、これに代えて、原稿載置台８１上に原稿が載置されているか否かを検知する原稿セットセンサーを別に設けて、この原稿セットセンサーが原稿を検知しているかどうかを判断するようにしてもよい。
【符号の説明】
【０１０３】
１  複合機（画像処理装置）
１０  制御部（画像読取装置）
１１  ジョブ実行部（画像出力部）
１２  読取サイズ確定部
２１  第一原稿読取部（画像読取装置）
２２  第二原稿読取部（画像読取装置）
３０  画像形成部（画像出力部）
４０  操作表示部（画像読取装置）
４１  表示部
４２  操作部
８０  原稿給送装置（第一原稿読取部）
８４  サイズ検知センサー（第一原稿読取部）
９０  原稿読取装置（第一原稿読取部、第二原稿読取部）
Ｗ２  読取サイズ設定画面（設定画面）
【図１】
0006354642.tif 000002
【図２】
0006354642.tif 000003
【図３】
0006354642.tif 000004
【図４】
0006354642.tif 000005
【図５】
0006354642.tif 000006
【図６】
0006354642.tif 000007
【図７】
0006354642.tif 000008
【図８】
0006354642.tif 000009